(57)【要約】【課題】ブローバイガスの透過方向が上方向から下方向になるように捕集部材をオイルセパレータ室内に配置した場合に、ブローバイガスが捕集部材を透過しにくくなるのを抑制することが可能なオイルセパレータを提供する。【解決手段】このオイルセパレータ３０は、シリンダヘッドカバー２０に設けられ、下方からブローバイガスが導入される吸込口６１ｃを有する導入通路６１と、ブローバイガス排出口６２ａを有する排出通路６２とを含むオイルセパレータ室６０と、オイルセパレータ室６０内の導入通路６１と排出通路６２との間に、ブローバイガスの透過方向が上方向から下方向になるように配置され、オイルミストを捕集する透過型の捕集部材３１と、を備える。導入通路６１の底面部２２は、捕集部材３１を取り囲むように形成され、液体成分が捕集部材３１に到達するのを規制する周状溝部６３を含む。【選択図】図５
2018080624.tif 000002
【特許請求の範囲】
【請求項１】
内燃機関のシリンダヘッドカバーに設けられ、下方からブローバイガスが導入される吸込口を有する導入通路と、ブローバイガスが排出される排出口を有する排出通路とを含むオイルセパレータ室と、
前記オイルセパレータ室内の前記導入通路と前記排出通路との間に、ブローバイガスの透過方向が上方向から下方向になるように配置され、ブローバイガスに含まれるオイルミストを捕集する透過型の捕集部材と、を備え、
前記導入通路の底面部は、前記捕集部材を取り囲むように形成され、液体成分が前記捕集部材に到達するのを規制する規制部を含む、オイルセパレータ。
【請求項２】
前記導入通路の前記底面部は、前記吸込口に向かって下方に傾斜する傾斜底面をさらに含む、請求項１に記載のオイルセパレータ。
【請求項３】
前記規制部は、前記捕集部材を取り囲むように窪む周状溝部、または、前記捕集部材を取り囲むように突出する周状壁部を有する、請求項１または２に記載のオイルセパレータ。
【請求項４】
前記導入通路の前記底面部は、前記周状溝部と、前記吸込口に向かって下方に傾斜するとともに前記吸込口に接続される第１接続傾斜底面と、前記周状溝部と前記第１接続傾斜底面とを接続するように前記周状溝部から前記吸込口に向かって延びる窪みから構成される接続溝部とをさらに含む、請求項３に記載のオイルセパレータ。
【請求項５】
前記導入通路の前記底面部は、前記周状壁部と、前記周状壁部から前記吸込口に向かって下方に傾斜するとともに前記吸込口に接続される第２接続傾斜底面とをさらに含む、請求項３に記載のオイルセパレータ。
【請求項６】
前記傾斜底面は、第１傾斜底面と、前記第１傾斜底面に隣接する第２傾斜底面と、前記第１傾斜底面と前記第２傾斜底面との境界に形成され、前記吸込口に向かって下方に傾斜する溝状の境界部とを有し、
前記第１傾斜底面と前記第２傾斜底面とは、共に、前記境界部に向かって下方に傾斜している、請求項２に記載のオイルセパレータ。
【発明の詳細な説明】
【技術分野】
【０００１】
本発明は、オイルセパレータに関する。
【背景技術】
【０００２】
従来、ブローバイガスに含まれるオイルミストを捕集する捕集部材を備えるオイルセパレータが知られている（たとえば、特許文献１参照）。
【０００３】
上記特許文献１には、ブローバイガスに含まれるオイルミストを捕集するオイルセパレータが開示されている。このオイルセパレータは、フィルタ式の気液分離ユニット（捕集部材）を用いて、ブローバイガスに含まれるオイルミストを捕集するように構成されている。なお、フィルタ式の気液分離ユニットは、ブローバイガスが流通するハウジング（オイルセパレータ室）内において、上下方向と直交する方向にブローバイガスを透過させるように配置されている。
【０００４】
ここで、オイルセパレータのオイルセパレータ室を内燃機関のシリンダヘッドカバーに設ける場合には、シリンダヘッドカバーが上下方向に大型化するのを抑制するために、ブローバイガスの透過方向が上方向から下方向になるように捕集部材をオイルセパレータ室内に配置するのが好ましい。
【先行技術文献】
【特許文献】
【０００５】
【特許文献１】特開２０１３−２４５５９７号公報
【発明の概要】
【発明が解決しようとする課題】
【０００６】
しかしながら、ブローバイガスの透過方向が上方向から下方向になるように捕集部材をオイルセパレータ室内に配置した場合には、オイルセパレータ室の底面上において液化した液状のオイルおよび水滴などの液体成分が、捕集部材に到達してしまうという不都合がある。このため、到達した液状のオイルが捕集部材から回収されずにスラッジ化する虞、および、供給された水滴が凍結する虞がある。この場合、スラッジまたは氷に起因して捕集部材が詰まってしまうと、ブローバイガスが捕集部材を透過しにくくなるという問題点がある。
【０００７】
この発明は、上記のような課題を解決するためになされたものであり、この発明の１つの目的は、ブローバイガスの透過方向が上方向から下方向になるように捕集部材をオイルセパレータ室内に配置した場合に、ブローバイガスが捕集部材を透過しにくくなるのを抑制することが可能なオイルセパレータを提供することである。
【課題を解決するための手段】
【０００８】
上記目的を達成するために、この発明の一の局面におけるオイルセパレータは、内燃機関のシリンダヘッドカバーに設けられ、下方からブローバイガスが導入される吸込口を有する導入通路と、ブローバイガスが排出される排出口を有する排出通路とを含むオイルセパレータ室と、オイルセパレータ室内の導入通路と排出通路との間に、ブローバイガスの透過方向が上方向から下方向になるように配置され、ブローバイガスに含まれるオイルミストを捕集する透過型の捕集部材と、を備え、導入通路の底面部は、捕集部材を取り囲むように形成され、液体成分が捕集部材に到達するのを規制する規制部を含む。
【０００９】
この発明の一の局面によるオイルセパレータでは、上記のように、導入通路の底面部が、捕集部材を取り囲むように形成され、液体成分が捕集部材に到達するのを規制する規制部を含む。これにより、規制部によって液体成分が捕集部材に到達するのを規制することができるので、捕集部材にスラッジまたは氷が生じるのを抑制することができる。この結果、捕集部材がスラッジまたは氷により詰まるのを抑制することができるので、ブローバイガスの透過方向が上方向から下方向になるように捕集部材をオイルセパレータ室内に配置したオイルセパレータにおいて、ブローバイガスが捕集部材を透過しにくくなるのを抑制することができる。
【００１０】
上記一の局面によるオイルセパレータにおいて、好ましくは、導入通路の底面部は、吸込口に向かって下方に傾斜する傾斜底面をさらに含む。
【００１１】
このように構成すれば、規制部により捕集部材に到達するのが規制された液体成分を、吸込口に向かって下方に傾斜する傾斜底面に沿って下方に流す（流下させる）ことができる。これにより、捕集部材を取り囲む規制部およびその周辺にオイルが滞留し続けるのを抑制することができるので、液体成分が捕集部材に到達するのを効果的に規制することができる。
【００１２】
上記一の局面によるオイルセパレータにおいて、好ましくは、規制部は、捕集部材を取り囲むように窪む周状溝部、または、捕集部材を取り囲むように突出する周状壁部を有する。
【００１３】
このように構成すれば、規制部が周状溝部または周状壁部を有することによって、液体成分が捕集部材に到達するのを容易に規制することができる。また、規制部が捕集部材を取り囲むように窪む周状溝部である場合には、導入通路の内側に向かって突出する壁部と異なり、導入通路を流通するブローバイガスの流通を妨げることがないので、ブローバイガスの流れが乱されるのを抑制することができる。また、規制部が捕集部材を取り囲むように突出する周状壁部である場合には、液体成分により詰まる虞がある溝部と異なり、周状壁部は詰まることがないので、液体成分が捕集部材に到達するのを確実に規制し続けることができる。
【００１４】
上記規制部が周状溝部を有する構成において、好ましくは、導入通路の底面部は、周状溝部と、吸込口に向かって下方に傾斜するとともに吸込口に接続される第１接続傾斜底面と、周状溝部と第１接続傾斜底面とを接続するように周状溝部から吸込口に向かって延びる窪みから構成される接続溝部とをさらに含む。
【００１５】
このように構成すれば、接続溝部によって、周状溝部内の液体成分を第１接続傾斜底面に導くことができるとともに、接続溝部に導かれた液体成分を第１接続傾斜底面に沿って流下させることによって、液体成分を吸込口に導くことができる。これにより、周状溝部内に液体成分が滞留し続けるのをより一層抑制することができる。この結果、液体成分が捕集部材に到達するのを効果的に規制することができるとともに、導入通路を流通するブローバイガスにより液体成分が舞い上げられるのを抑制することができる。
【００１６】
上記規制部が周状壁部を有する構成において、好ましくは、導入通路の底面部は、周状壁部と、周状壁部から吸込口に向かって下方に傾斜するとともに吸込口に接続される第２接続傾斜底面とをさらに含む。
【００１７】
このように構成すれば、周状壁部によって規制された液体成分を、第２接続傾斜底面に沿って流下させて吸込口に導くことができるので、導入通路の底面上に液体成分が滞留し続けるのをより一層抑制することができる。これにより、液体成分が捕集部材に到達するのを効果的に規制することができるとともに、導入通路を流通するブローバイガスにより液体成分が舞い上げられるのを抑制することができる。
【００１８】
上記一の局面によるオイルセパレータにおいて、好ましくは、傾斜底面は、第１傾斜底面と、第１傾斜底面に隣接する第２傾斜底面と、第１傾斜底面と第２傾斜底面との境界に形成され、吸込口に向かって下方に傾斜する溝状の境界部とを有し、第１傾斜底面と第２傾斜底面とは、共に、境界部に向かって下方に傾斜している。
【００１９】
このように構成すれば、第１傾斜底面と第２傾斜底面とが、共に、境界部に向かって下方に傾斜することによって、第１傾斜底面上または第２傾斜底面上の液体成分を境界部に導くことができる。そして、吸込口に向かって下方に傾斜する溝状の境界部において、液体成分を吸込口に向かって流下させることができる。
【００２０】
なお、上記一の局面によるオイルセパレータにおいて、以下のような構成も考えられる。
【００２１】
（付記項１）
すなわち、上記導入通路の底面部が周状溝部と接続溝部を含む構成において、接続溝部の幅は、周状溝部の幅よりも大きい。
【００２２】
（付記項２）
また、上記底面部が接続溝部を含む構成において、接続溝部は、第１接続傾斜底面に向かって徐々にまたは段階的に幅が大きくなるように形成されている。
【００２３】
（付記項３）
また、上記底面部が傾斜底面を含む構成において、傾斜底面は、導入通路の全体に亘って形成されている。
【図面の簡単な説明】
【００２４】
【図１】本発明の第１実施形態によるオイルセパレータが搭載されるエンジンの概略的な構成を示した分解斜視図である。
【図２】本発明の第１実施形態によるオイルセパレータを示した分解斜視図である。
【図３】本発明の第１実施形態によるオイルセパレータを示した斜視図である。
【図４】図３の３００−３００線に沿った斜視断面図である。
【図５】図３の３００−３００線に沿った断面図である。
【図６】本発明の第１実施形態によるオイルセパレータのシリンダヘッドカバーの凹部周辺を示した拡大上面図である。
【図７】本発明の第１実施形態による接続溝部を示した拡大断面図である。
【図８】本発明の第２実施形態によるオイルセパレータのオイルセパレータ室を示した断面図である。
【図９】本発明の第２実施形態によるオイルセパレータのシリンダヘッドカバーの凹部周辺を示した拡大上面図である。
【図１０】本発明の第３実施形態によるオイルセパレータのオイルセパレータ室を示した断面図である。
【図１１】本発明の第３実施形態によるオイルセパレータのシリンダヘッドカバーの凹部周辺を示した拡大上面図である。
【発明を実施するための形態】
【００２５】
以下、本発明の実施形態を図面に基づいて説明する。
【００２６】
［第１実施形態］
（エンジンおよびその周辺の構成）
まず、図１〜図７を参照して、本発明の第１実施形態によるエンジン１００に搭載されるオイルセパレータ３０について説明する。なお、第１実施形態では、後述するクランク軸１１の延びる方向をＸ軸方向とし、水平面内でＸ軸方向に直交する方向をＹ軸方向とする。また、水平面に対して直交する上下方向をＺ軸方向とする。なお、上下方向とは、エンジン１００が図示しない車両に搭載された状態における鉛直方向である。
【００２７】
本発明の第１実施形態によるオイルセパレータ３０は、図１に示すように、直列３気筒型のエンジン１００（内燃機関の一例）に設けられている。エンジン１００は、シリンダヘッド１と、シリンダブロック２と、クランクケース３とを含むエンジン本体１０を備えている。なお、シリンダヘッド１、シリンダブロック２およびクランクケース３は、共にアルミニウム合金製である。
【００２８】
エンジン本体１０には、シリンダヘッドカバー２０と、吸気マニホールド（図示せず）と、排気マニホールド（図示せず）とが取り付けられている。シリンダヘッドカバー２０は、エンジン本体１０のシリンダヘッド１を上方から覆うように配置されている。
【００２９】
エンジン本体１０内には、シリンダブロック２とクランクケース３とによって、クランク室４が形成されている。シリンダヘッドカバー２０とシリンダヘッド１とシリンダブロック２とは、ボルト１０ａにより締結されている。
【００３０】
また、クランク室４には、回転軸線（Ｘ軸）まわりに回転可能に接続されたクランク軸１１が配置されている。また、クランク軸１１は、回転軸線がシリンダブロック２とクランクケース３との合わせ面の高さ位置（Ｚ軸方向）に揃えられている。また、クランクケース３には、オイル（潤滑油）を溜めるオイルパン５が設けられている。オイルは、オイルポンプ（図示せず）によりエンジン本体１０内に汲み上げられてピストンまわりやクランク軸１１まわりに供給された後、自重により滴下してオイルパン５に戻される。
【００３１】
また、エンジン１００には、ブローバイガスを気液分離する機能を有するオイルセパレータ３０が搭載されている。エンジン１００は、ブローバイガスがオイルセパレータ３０および吸気マニホールドを介して再循環されるように構成されている。なお、ブローバイガスとは、シリンダ２ａの内壁面とピストン（図示せず）との隙間からクランク室４に吹き漏れた炭化水素と、燃焼時の燃焼ガスが吹き漏れたものとを含む未燃焼混合気を示す。また、ブローバイガスには、クランク室４内に飛散する大粒径の液状のオイル、および、これよりも粒径が小さい小粒径（２μｍ以下）のオイルミストが存在している。さらに、ブローバイガスには、水分が含まれている。
【００３２】
ブローバイガスは、クランク室４から、クランクケース３のブローバイガス通路部３ａと、シリンダブロック２のブローバイガス通路部２ｂと、シリンダヘッド１のブローバイガス通路部１ａとを介して、オイルセパレータ３０に導入される。そして、オイルセパレータ３０により分離された液状のオイルは、オイルセパレータ３０の後述する排出通路６２（図２参照）から、シリンダヘッド１のオイル通路部１ｂと、シリンダブロック２のオイル通路部２ｃと、クランクケース３のオイル通路部３ｂとを介して、クランク室４（オイルパン５）に戻される。また、一部の液状のオイルは、オイルセパレータ３０の後述する導入通路６１（図２参照）から、ブローバイガス通路部１ａ、２ｂおよび３ａを介して、クランク室４に戻される。また、液状のオイルが分離されたブローバイガスは、図示しない接続ホースを介して、オイルセパレータ３０から吸気マニホールドに供給される。以下、オイルセパレータ３０の構成について詳細に説明する。
【００３３】
（オイルセパレータの構成）
オイルセパレータ３０は、図２〜図５に示すように、オイルセパレータ室６０と、オイルセパレータ室６０内に配置された捕集部材３１とを含んでいる。オイルセパレータ室６０は、シリンダヘッドカバー２０、上側カバー部材４０、および、下側カバー部材５０により区画されることによって形成されている。なお、シリンダヘッドカバー２０、上側カバー部材４０、および、下側カバー部材５０は、共に樹脂製である。
【００３４】
オイルセパレータ室６０は、シリンダヘッドカバー２０の上面２０ａ側に形成された導入通路６１と、シリンダヘッドカバー２０の下面２０ｂ側に形成された排出通路６２とを有している。なお、シリンダヘッドカバー２０の上面２０ａ側には、凹部２１と、凹部２１を取り囲む壁部２０ｃとが形成されている。
【００３５】
導入通路６１は、図４および図５に示すように、シリンダヘッドカバー２０の凹部２１の底面部２２および側面部２１ａと、上側カバー部材４０とにより構成されている。排出通路６２は、シリンダヘッドカバー２０と下側カバー部材５０とにより構成されている。
【００３６】
導入通路６１と排出通路６２とは、連通孔部６０ａを介して互いに連通している。連通孔部６０ａは、上面視において、Ｘ軸方向に長く、Ｙ軸方向に短い矩形状を有している。連通孔部６０ａは、シリンダヘッドカバー２０において、上面２０ａ側に形成された凹部２１の底面部２２を貫通することによって、底面部２２の上面である底面２３と、下面２０ｂとを接続するように形成されている。また、連通孔部６０ａは、導入通路６１と排出通路６２とを上下方向（Ｚ軸方向）に接続している。そして、連通孔部６０ａを下方（Ｚ２方向）から覆うように、捕集部材３１が配置されている。
【００３７】
捕集部材３１は、ブローバイガスを透過させる際に、ブローバイガスに含まれるオイルミストを捕集する機能を有する透過型の捕集部材である。捕集部材３１は、図２に示すように、上面視において矩形状の板状部材である。捕集部材３１は、図４および図５に示すように、上面視において中央部に形成された矩形状の透過部分をブローバイガスが上方向から下方向に透過するように、導入通路６１と排出通路６２との間に配置されている。具体的には、排出通路６２の上面を構成するシリンダヘッドカバー２０の下面２０ｂには、捕集部材３１が下方（Ｚ２方向）から取り付けられる凹部２０ｄが形成されている。平面視において、凹部２０ｄの中央部には、連通孔部６０ａが位置している。これにより、捕集部材３１は、導入通路６１と排出通路６２との間に配置されている。なお、捕集部材３１の下面（下端）３１ａは、凹部２０ｄの開口部（下端部）２０ｅよりも上方（Ｚ１方向）に位置している。
【００３８】
また、捕集部材３１の透過部分は、上下方向に金網（図示せず）が積層されることによって形成されている。なお、捕集部材３１の透過部分は、不織布などブローバイガスが透過可能で、かつ、オイルミストを捕集可能な構成であればよい。
【００３９】
上側カバー部材４０は、図４および図５に示すように、フランジ部４１と、フランジ部４１に囲まれるようにフランジ部４１の内側に形成され、フランジ部４１から上方（Ｚ１方向）に窪む凹部４２とを有している。そして、図３〜図５に示すように、上側カバー部材４０のフランジ部４１がシリンダヘッドカバー２０の凹部２１を取り囲む壁部２０ｃに振動溶接されることによって、凹部２１と凹部４２とに囲まれた導入通路６１が形成されている。
【００４０】
（導入通路の詳細な構成）
導入通路６１は、図６に示すように、Ｌ字形状に形成されている。つまり、導入通路６１は、Ｘ２方向側に形成され、Ｙ軸方向に延びる第１導入通路６１ａと、第１導入通路６１ａのＹ１方向側からＸ１方向に延びる第２導入通路６１ｂとを有している。
【００４１】
導入通路６１は、凹部２１の底面部２２を貫通する吸込口６１ｃを有している。吸込口６１ｃは、底面部２２において、第１導入通路６１ａのＹ２方向側の端部に形成されている。吸込口６１ｃは、シリンダヘッド１のブローバイガス通路部１ａ（図１参照）に接続されている。
【００４２】
これらにより、図６に示すように、吸込口６１ｃを介して、オイルセパレータ室６０の導入通路６１に導入されたブローバイガスは、第１導入通路６１ａをＹ１方向に向かって流れるとともに、第２導入通路６１ｂをＸ１方向に向かって流れる。そして、ブローバイガスは、連通孔部６０ａを覆うように配置された捕集部材３１を上方から下方に向かって透過して、排出通路６２に導入される。つまり、第１導入通路６１ａにおけるブローバイガスの流通方向は、Ｙ２方向側が上流側になり、Ｙ１方向側が下流側になる。第２導入通路６１ｂにおけるブローバイガスの流通方向は、Ｘ２方向側が上流側になり、Ｘ１方向側が下流側になる。
【００４３】
また、導入通路６１の第２導入通路６１ｂでは、図５に示すように、上側カバー部材４０の凹部４２の内面である天井面６１ｄのＸ１方向側は、Ｘ２方向側からＸ１方向側に向かって下方に傾斜している。これにより、天井面６１ｄにおいて液化した液状のオイルおよび水滴（液体成分）は、傾斜する天井面６１ｄおよび凹部２１の内側面を伝ってＸ１方向側の底面２３上に流下する。
【００４４】
導入通路６１では、図４および図５に示すように、底面部２２の底面２３は、Ｘ１方向側の水平底面２３ａと、Ｘ２方向側の傾斜底面２３ｂ（第１接続傾斜底面の一例）とを有している。水平底面２３ａは、上下方向（Ｚ軸方向）に傾斜せずに、Ｘ軸方向およびＹ軸方向に延びる水平面に沿って延びるように形成されている。また、水平底面２３ａは、第２導入通路６１ｂのＸ１方向側に形成されている。また、連通孔部６０ａの上側の開口は、水平底面２３ａに形成されている。
【００４５】
傾斜底面２３ｂは、図４〜図６に示すように、第２導入通路６１ｂのＸ２方向側と第１導入通路６１ａの全体とに亘って形成されている。つまり、傾斜底面２３ｂは、上面視において、Ｌ字状に形成されている。そして、傾斜底面２３ｂは、下流側から上流側の吸込口６１ｃに向かって、全体的に下方に傾斜するように形成されている。そして、傾斜底面２３ｂの上流側の端部（最も下方に位置する端部）は、吸込口６１ｃに接続されている。
【００４６】
ここで、第１実施形態では、導入通路６１の底面部２２は、周状溝部６３（規制部の一例）を含んでいる。周状溝部６３は、図６に示すように、捕集部材３１（ブローバイガス透過部分）を周状に取り囲むように形成されている。具体的には、周状溝部６３は、第２導入通路６１ｂの底面部２２において、捕集部材３１により下方から覆われる連通孔部６０ａを周状に取り囲むように水平底面２３ａから下方に窪んでいる。
【００４７】
周状溝部６３は、一対の第１溝部６３ａと一対の第２溝部６３ｂとから構成されており、第１溝部６３ａと第２溝部６３ｂとが互いに接続されている。
【００４８】
一対の第１溝部６３ａは、連通孔部６０ａ（捕集部材３１のブローバイガス透過部分）に対して、Ｙ軸方向に所定の間隔を隔てて形成されている。また、一対の第１溝部６３ａは、捕集部材３１のブローバイガス透過部分のＹ軸方向側の２辺に沿って、Ｘ軸方向に延びるように形成されている。一対の第２溝部６３ｂは、捕集部材３１のブローバイガス透過部分に対して、Ｘ軸方向に所定の間隔を隔てて形成されている。また一対の第２溝部６３ｂは、捕集部材３１のブローバイガス透過部分のＸ軸方向側の２辺に沿って、Ｙ軸方向に延びるように形成されている。この結果、周状溝部６３は、上面視において、矩形状の捕集部材３１に対応するように、矩形の枠状（周状）に形成されている。
【００４９】
これにより、周状溝部６３の外側から周状溝部６３に到達した液体成分は、周状溝部６３内に貯留されて、周状溝部６３の内側に位置する捕集部材３１に到達するのが規制される。
【００５０】
また、第１実施形態では、導入通路６１の底面部２２は、第２導入通路６１ｂのＹ軸方向の略中央に形成された接続溝部６４を含んでいる。接続溝部６４は、第２導入通路６１ｂの水平底面２３ａから下方に窪むように形成されているとともに、周状溝部６３のＸ２方向側の第２溝部６３ｂと傾斜底面２３ｂとを接続するようにＸ軸方向に延びている。また、接続溝部６４は、第２溝部６３ｂ（下流側、Ｘ１方向側）から傾斜底面２３ｂ（上流側、Ｘ２方向側）に向かって徐々にＹ軸方向の長さ（幅）が大きくなるように形成されている。つまり、接続溝部６４の上流側の幅Ｗ１ａは、接続溝部６４の下流側の幅Ｗ１ｂよりも大きくなるように形成されている。
【００５１】
また、周状溝部６３および接続溝部６４は、断面視において逆三角形状になるように、底面２３の水平底面２３ａから窪んでいる。また、周状溝部６３の一対の第１溝部６３ａ、および、接続溝部６４は、下流側（Ｘ１方向側）から上流側（Ｘ２方向側）に向かって溝深さが大きくなるように形成されている。具体的には、図７に示すように、接続溝部６４の傾斜底面２３ｂとの接続部分（上流側）における溝深さＨ１が、接続溝部６４の第２溝部６３ｂとの接続部分（下流側）における溝深さＨ２よりも大きくなるように形成されている。なお、周状溝部６３の一対の第１溝部６３ａにおいても、接続溝部６４と同様に、上流側における溝深さが、下流側における溝深さよりも大きくなるように形成されている。これにより、周状溝部６３の一対の第１溝部６３ａ、および、接続溝部６４において、液体成分を下流側（Ｘ１方向側）から上流側（Ｘ２方向側）に向かって流下させることが可能である。なお、一対の第１溝部６３ａおよび接続溝部６４は、上流側に向かうに従って直線的に溝深さが大きくなるように形成されている。
【００５２】
また、図６に示すように、接続溝部６４の下流側の幅Ｗ１ｂは、周状溝部６３の幅Ｗ２よりも大きい。つまり、接続溝部６４の幅Ｗ１ｂは、第１溝部６３ａのＹ軸方向の長さ（幅）Ｗ２よりも大きく、かつ、第２溝部６３ｂのＸ軸方向の長さ（幅）Ｗ２よりも大きい。
【００５３】
また、導入通路６１の底面部２２は、接続溝部６４に接続する傾斜面溝部６５を含んでいる。傾斜面溝部６５は、吸込口６１ｃまで延びるように、傾斜底面２３ｂに形成されている。つまり、傾斜面溝部６５は、第２導入通路６１ｂをＸ２方向に向かって延びた後、第１導入通路６１ａをＹ２方向に向かって吸込口６１ｃまで延びるように形成されている。なお、傾斜面溝部６５は、第２導入通路６１ｂのＹ軸方向の略中央、および、第１導入通路６１ａのＸ軸方向の略中央を通るように、上面視においてＬ字状に形成されている。また、傾斜面溝部６５は、断面視において逆三角形状になるように、底面２３の傾斜底面２３ｂから窪んでいる。これにより、傾斜面溝部６５によって、液体成分を容易に吸込口６１ｃへ導くことが可能である。また、傾斜面溝部６５は、接続溝部６４側（下流側）から吸込口６１ｃ側（上流側）に向かって徐々に幅が大きくなるように形成されている。
【００５４】
（導入通路におけるオイルの流通）
これにより、捕集部材３１（連通孔部６０ａ）に液体成分が向かったとしても、捕集部材３１を取り囲む周状溝部６３内に取り込まれることにより、液体成分が捕集部材３１に到達するのが規制される。
【００５５】
また、周状溝部６３内の液体成分は、一対の第１溝部６３ａにおいて、下流側（Ｘ１方向側）から上流側（Ｘ２方向側）に流下して、Ｘ２方向側の第２溝部６３ｂに供給される。そして、液体成分は、Ｘ２方向側の第２溝部６３ｂに接続される接続溝部６４において、下流側から上流側に流下して、傾斜底面２３ｂに到達する。最後に、液体成分は、傾斜面溝部６５および傾斜底面２３ｂにおいて、下流側から上流側に流下して、吸込口６１ｃに到達する。そして、液体成分は吸込口６１ｃから排出される。つまり、液体成分は、導入通路６１において、ブローバイガスの流通方向とは反対方向に流れて吸込口６１ｃから排出される。
【００５６】
（排出通路の構成）
排出通路６２は、図２に示すように、シリンダヘッドカバー２０に形成されたブローバイガス排出口６２ａ（排出口の一例）と、オイル排出口６２ｂとを有している。
【００５７】
ブローバイガス排出口６２ａは、シリンダヘッドカバー２０において、上面２０ａと下面２０ｂとを接続するように形成されている。ブローバイガス排出口６２ａには、ＰＣＶ（Ｐｏｓｉｔｉｖｅ  Ｃｒａｎｋｃａｓｅ  Ｖｅｎｔｉｌａｔｉｏｎ）バルブ３０ａが接続されている。ＰＣＶバルブ３０ａは、ブローバイガス排出口６２ａから吸気マニホールドに排出されるブローバイガスの量を調整する機能を有している。また、ＰＣＶバルブ３０ａは、図示しない吸気マニホールドに接続される接続ホース（図示せず）に接続されている。これにより、導入通路６１から排出通路６２に導入されたブローバイガスは、ブローバイガス排出口６２ａおよび接続ホースを介して、排出通路６２から吸気マニホールドに排出される。そして、ブローバイガスは、エンジン１００（図１参照）に還流される。
【００５８】
下側カバー部材５０は、フランジ部５１と、フランジ部５１に囲まれるようにフランジ部５１の内側に形成され、フランジ部５１から下方（Ｚ２方向）に窪む凹部５２とを有している。そして、図４および図５に示すように、下側カバー部材５０のフランジ部５１がシリンダヘッドカバー２０の下面２０ｂに振動溶接されることによって、下面２０ｂと下側カバー部材５０の凹部５２とに囲まれた排出通路６２が形成されている。
【００５９】
オイル排出口６２ｂは、図２に示すように、下側カバー部材５０の底部に形成されているとともに、シリンダヘッド１のオイル通路部１ｂ（図１参照）に接続されている。これにより、オイル排出口６２ｂを介して、オイルセパレータ室６０の排出通路６２からオイルが排出される。
【００６０】
（第１実施形態の効果）
第１実施形態では、以下のような効果を得ることができる。
【００６１】
第１実施形態では、上記のように、導入通路６１の底面部２２が、捕集部材３１を取り囲むように形成され、液体成分が捕集部材３１に到達するのを規制する周状溝部６３を含む。これにより、周状溝部６３によって液体成分が捕集部材３１に到達するのを規制することができるので、捕集部材３１にスラッジまたは氷が生じるのを抑制することができる。この結果、捕集部材３１が、スラッジまたは氷により詰まるのを抑制することができるので、ブローバイガスの透過方向が上方向から下方向になるように捕集部材３１をオイルセパレータ室６０内に配置したオイルセパレータ３０において、ブローバイガスが捕集部材３１を透過しにくくなるのを抑制することができる。
【００６２】
また、第１実施形態では、導入通路６１の底面部２２が、吸込口６１ｃに向かって下方に傾斜する傾斜底面２３ｂを含む。これにより、周状溝部６３により捕集部材３１に到達するのが規制された液体成分を、吸込口６１ｃに向かって下方に傾斜する傾斜底面２３ｂに沿って流下させることができる。この結果、捕集部材３１を取り囲む周状溝部６３およびその周辺にオイルが滞留し続けるのを抑制することができるので、液体成分が捕集部材３１に到達するのを効果的に規制することができる。
【００６３】
また、第１実施形態では、周状溝部６３によって、液体成分が捕集部材３１に到達するのを容易に規制することができる。また、周状溝部６３が捕集部材３１を取り囲むように窪むことによって、導入通路６１の内側に向かって突出する壁部と異なり、導入通路６１を流通するブローバイガスの流通を妨げることがないので、ブローバイガスの流れが乱されるのを抑制することができる。
【００６４】
また、第１実施形態では、導入通路６１の底面部２２に、周状溝部６３と、吸込口６１ｃに向かって下方に傾斜するとともに、吸込口６１ｃに接続される傾斜底面２３ｂを設ける。さらに、導入通路６１の底面部２２に、周状溝部６３と傾斜底面２３ｂとを接続するように、周状溝部から吸込口６１ｃに向かって延びる窪みから構成される接続溝部６４を設ける。これにより、接続溝部６４によって、周状溝部６３内の液体成分を傾斜底面２３ｂに導くことができるとともに、接続溝部６４に導かれた液体成分を傾斜底面２３ｂに沿って流下させることによって、液体成分を吸込口６１ｃに導くことができる。この結果、周状溝部６３内に液体成分が滞留し続けるのをより一層抑制することができる。したがって、液体成分が捕集部材３１に到達するのを効果的に規制することができるとともに、導入通路６１を流通するブローバイガスにより液体成分が舞い上げられるのを抑制することができる。
【００６５】
また、第１実施形態では、接続溝部６４の幅Ｗ１ｂを周状溝部６３の幅Ｗ２よりも大きくする。これにより、周状溝部６３を流通する液体成分が接続溝部６４内に保持できなくなるのを抑制することができるので、液体成分が接続溝部６４から底面２３（水平底面２３ａ）上に漏れ出るのを抑制することができる。
【００６６】
また、第１実施形態では、接続溝部６４を傾斜底面２３ｂに向かって徐々に幅が大きくなるように形成する。ここで、接続溝部６４の上流側（傾斜底面２３ｂ）では、下流側（周状溝部６３側）から流れる液体成分に加えて、水平底面２３ａ上の液体成分も加わるため、接続溝部６４の上流側における液体成分の量は、接続溝部６４の下流側における液体成分の量よりも大きくなる。そこで、接続溝部６４を傾斜底面２３ｂに向かって徐々に幅が大きくなるように形成することによって、液体成分が接続溝部６４外に流れ出るのを効果的に抑制することができる。
【００６７】
［第２実施形態］
次に、図８および図９を参照して、第２実施形態について説明する。この第２実施形態では、上記第１実施形態の周状溝部６３の代わりに、周状壁部１６３を設けた例について説明する。なお、上記第１実施形態と同様の構成については、同一の符号を付すとともに、説明を省略する。
【００６８】
第２実施形態のオイルセパレータ１３０のオイルセパレータ室６０を構成するシリンダヘッドカバー１２０は、図８および図９に示すように、底面部１２２を有する凹部１２１を含んでいる。なお、シリンダヘッドカバー１２０の凹部１２１の底面部１２２および側面部２１ａと、上側カバー部材４０とにより導入通路１６１が形成されている。
【００６９】
また、導入通路１６１では、図８に示すように、底面部１２２の傾斜底面１２３（第２接続傾斜底面の一例）は、導入通路１６１の全体において、下流側から上流側に向かって下方に傾斜している。具体的には、傾斜底面１２３は、Ｘ１方向側の傾斜底面１２３ａと、Ｘ２方向側の傾斜底面１２３ｂとを有している。また、傾斜底面１２３ａを下方から覆う捕集部材３１は、傾斜底面１２３ａの傾斜に沿って傾斜して配置されている。なお、水平面に対する傾斜底面１２３ａの傾斜角度は、水平面に対する傾斜底面１２３ｂの傾斜角度よりも小さい。
【００７０】
ここで、第２実施形態では、図８および図９に示すように、導入通路１６１の底面部１２２は、周状壁部１６３（規制部の一例）を含んでいる。周状壁部１６３は、捕集部材３１（ブローバイガス透過部分）を周状に取り囲むように形成されている。具体的には、周状壁部１６３は、第２導入通路１６１ｂの傾斜底面１２３ａにおいて、捕集部材３１により下方から覆われる連通孔部６０ａを周状に取り囲むように突出している。
【００７１】
また、周状壁部１６３は、傾斜底面１２３ａと直交する方向に傾斜底面１２３ａから突出している。なお、周状壁部１６３は、傾斜底面１２３ａから上方に突出してもよい。ここで、周状壁部１６３の傾斜底面１２３ａからの突出高さは、液体成分が捕集部材３１に到達するのを十分に規制することが可能な突出高さで、かつ、ブローバイガスの流通を余り妨げない程度の突出高さであるのが好ましい。
【００７２】
また、周状壁部１６３は、一対の第１壁部１６３ａと一対の第２壁部１６３ｂとから構成されており、第１壁部１６３ａと第２壁部１６３ｂとが互いに接続されている。
【００７３】
一対の第１壁部１６３ａは、連通孔部６０ａ（捕集部材３１のブローバイガス透過部分）に対して、Ｙ軸方向に所定の間隔を隔てて形成されている。また一対の第１壁部１６３ａは、捕集部材３１のブローバイガス透過部分のＹ軸方向側の２辺に沿って、Ｘ軸方向に延びるように形成されている。一対の第２壁部１６３ｂは、捕集部材３１のブローバイガス透過部分に対して、Ｘ軸方向に所定の間隔を隔てて形成されている。また、一対の第２壁部１６３ｂは、捕集部材３１のブローバイガス透過部分のＸ軸方向側の２辺に沿って、Ｙ軸方向に延びるように形成されている。この結果、周状壁部１６３は、上面視において、矩形状の捕集部材３１に対応するように、矩形の枠状（周状）に形成されている。
【００７４】
ここで、周状壁部１６３の外側から周状壁部１６３に到達した液体成分は、周状壁部１６３を乗り越えて周状壁部１６３の内側（捕集部材３１側）に移動するのが容易ではない。このため、周状壁部１６３により、液体成分が捕集部材３１に到達するのが規制される。
【００７５】
また、第２導入通路１６１ｂのＸ１方向側には、傾斜底面１２３ａと、Ｘ１方向側の第２壁部１６３ｂの外側面と、凹部１２１の内側面とにより、液体成分が貯留される貯留部Ｓが形成される。なお、貯留部Ｓの液体成分は、第１壁部１６３ａと凹部１２１の内側面との間の傾斜底面１２３ａを流下することによって、貯留部Ｓから排出される。なお、第２実施形態のその他の構成は、上記第１実施形態の構成と同様である。
【００７６】
（第２実施形態の効果）
第２実施形態では、以下のような効果を得ることができる。
【００７７】
第２実施形態では、上記のように、導入通路１６１の底面部１２２が、捕集部材３１を取り囲むように形成され、液体成分が捕集部材３１に到達するのを規制する周状壁部１６３を含む。これにより、上記第１実施形態と同様に、ブローバイガスの透過方向が上方向から下方向になるように捕集部材３１をオイルセパレータ室６０内に配置したオイルセパレータ１３０において、ブローバイガスが捕集部材３１を透過しにくくなるのを抑制することができる。
【００７８】
また、第２実施形態では、導入通路１６１の底面部１２２が、周状壁部１６３と、周状壁部１６３から吸込口６１ｃに向かって下方に傾斜するとともに、吸込口６１ｃに接続される傾斜底面１２３とを含む。これにより、周状壁部１６３に規制された液体成分を、傾斜底面１２３に沿って流下させて吸込口６１ｃに導くことができるので、導入通路１６１の傾斜底面１２３上に液体成分が滞留し続けるのをより一層抑制することができる。この結果、液体成分が捕集部材３１に到達するのを効果的に規制することができるとともに、導入通路１６１を流通するブローバイガスにより液体成分が舞い上げられるのを抑制することができる。
【００７９】
また、第２実施形態では、底面部１２２の傾斜底面１２３を、導入通路１６１の全体において、下流側から上流側に向かって下方に傾斜させる。これにより、傾斜底面１２３上に液体成分が滞留し続けるのを抑制することができる。なお、第２実施形態のその他の効果は、上記第１実施形態の効果と同様である。
【００８０】
［第３実施形態］
次に、図１０および図１１を参照して、第３実施形態について説明する。この第３実施形態では、上記第１実施形態とは異なり、傾斜底面２２３ｂに、第１傾斜底面２２３ｃと第２傾斜底面２２３ｄとにより、溝状の境界部２２３ｅを形成した例について説明する。なお、上記第１実施形態と同様の構成については、同一の符号を付すとともに、説明を省略する。
【００８１】
第３実施形態のオイルセパレータ２３０のオイルセパレータ室６０を構成するシリンダヘッドカバー２２０は、図１０および図１１に示すように、底面部２２２を有する凹部２２１を含んでいる。なお、シリンダヘッドカバー２２０の凹部２２１の底面部２２２および側面部２１ａと、上側カバー部材４０とにより導入通路２６１が形成されている。
【００８２】
ここで、第３実施形態では、導入通路２６１の底面部２２２は、接続溝部２６４が形成された水平底面２３ａと、第１傾斜底面２２３ｃ、および、第１傾斜底面２２３ｃに隣接して形成された第２傾斜底面２２３ｄを有する傾斜底面２２３ｂとを含んでいる。接続溝部２６４は、ブローバイガスの流通方向の下流側（Ｘ１方向側）から上流側（Ｘ２方向側）に向かって段階的に幅が大きくなるように形成されている。傾斜底面２２３ｂは、上面視において、Ｌ字状に形成されている。
【００８３】
第１傾斜底面２２３ｃと第２傾斜底面２２３ｄとの境界Ｂは、図１１に示すように、上面視において、傾斜底面２２３ｂの下流側の端部におけるＹ１方向側の角部から、吸込口６１ｃのＸ２方向側まで、Ｘ２方向およびＹ２方向に延びるように斜めに形成されている。また、第１傾斜底面２２３ｃおよび第２傾斜底面２２３ｄは、共に、境界Ｂに向かって下方に傾斜するように形成されている。これにより、境界Ｂは、傾斜する第１傾斜底面２２３ｃおよび第２傾斜底面２２３ｄにより溝状の境界部２２３ｅとなっている。また、溝状の境界部２２３ｅは、吸込口６１ｃに向かって下方に傾斜している。
【００８４】
（傾斜底面におけるオイルの流通）
液体成分は、第１傾斜底面２２３ｃ上または第２傾斜底面２２３ｄ上を境界部２２３ｅに向かって流下する。そして、境界部２２３ｅに到達した液体成分は、溝状の境界部２２３ｅ内を吸込口６１ｃに向かって流下して、吸込口６１ｃに到達する。そして、液体成分は吸込口６１ｃから排出される。なお、第３実施形態のその他の構成は、上記第１実施形態の構成と同様である。
【００８５】
（第３実施形態の効果）
第３実施形態では、以下のような効果を得ることができる。
【００８６】
第３実施形態では、上記のように、第１傾斜底面２２３ｃと第２傾斜底面２２３ｄとが、共に、境界部２２３ｅに向かって下方に傾斜することによって、第１傾斜底面２２３ｃ上または第２傾斜底面２２３ｄ上の液体成分を境界部２２３ｅに導くことができる。そして、吸込口６１ｃに向かって下方に傾斜する溝状の境界部２２３ｅにおいて、液体成分を吸込口６１ｃに向かって流下させることができる。なお、第３実施形態のその他の効果は、上記第１実施形態の効果と同様である。
【００８７】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００８８】
たとえば、上記第１および第３実施形態では、特許請求の範囲の「規制部」の一例として、周状溝部６３を示した。また、上記第２実施形態では、特許請求の範囲の「規制部」の一例として、周状壁部１６３を示したが、本発明はこれに限られない。本発明では、特許請求の範囲の「規制部」は、捕集部材を取り囲むように形成されており、かつ、液体成分が捕集部材に到達するのを規制する構成であれば、周状溝部および周状壁部に限られない。たとえば、特許請求の範囲の「規制部」として、捕集部材を取り囲むように配置され、液体成分を吸着保持可能な吸着部材（たとえば、スポンジなど）を用いてもよい。
【００８９】
また、上記第１〜第３実施形態では、底面部２２（１２２、２２２）に、吸込口６１ｃに向かって下方に傾斜する傾斜底面２３ｂ（１２３、２２３ｂ）を設けた例を示したが、本発明はこれに限られない。本発明では、底面部に傾斜底面を設けなくてもよい。つまり、底面部の全体が水平面状に形成されていてもよい。この場合であっても、規制部（周状溝部または周状壁部）により、液体成分が捕集部材に到達するのを規制することが可能である。
【００９０】
また、上記第１実施形態では、傾斜底面２３ｂに吸込口６１ｃまで延びる傾斜面溝部６５を形成した例を示したが、本発明はこれに限られない。本発明では、傾斜底面に溝部を形成しなくてもよい。なお、傾斜底面に溝部を形成しなくても、傾斜底面が吸込口に向かって下方に傾斜することによって、液体成分を傾斜底面に沿って吸込口側に流下させることが可能である。
【００９１】
また、上記第１実施形態では、上下方向に傾斜しない水平底面２３ａに周状溝部６３および接続溝部６４を形成した例を示したが、本発明はこれに限られない。本発明では、周状溝部および接続溝部が形成された底面を、下流側から上流側（吸込口側）に向かって傾斜させてもよい。この場合、溝深さを変化させなくても、傾斜する底面により、周状溝部および接続溝部内の液体成分を吸込口側に流下させることが可能である。
【００９２】
また、上記第２実施形態では、上下方向に傾斜する傾斜底面１２３ａに周状壁部１６３を形成した例を示したが、本発明はこれに限られない。本発明では、周状壁部が形成された底面を、上下方向に傾斜しない水平面状に形成してもよい。また、周状壁部の吸込口側の端部と吸込口との間の底面のみを吸込口に向かって下方に傾斜させてもよい。
【００９３】
また、上記第１実施形態では、周状溝部６３と傾斜底面２３ｂとを接続する接続溝部６４を設けた例を示したが、本発明はこれに限られない。本発明では、接続溝部は設けなくてもよい。この場合、周状溝部と傾斜底面とが接続しているのが好ましい。
【００９４】
また、上記第１〜第３実施形態では、傾斜底面２３ｂ（１２３、２２３ｂ）を吸込口６１ｃに接続した例を示したが、本発明はこれに限られない。本発明では、傾斜底面を吸込口に接続しなくてもよい。たとえば、吸込口を取り囲む水平面状のオイル貯留部を設け、オイル貯留部に接続されるように傾斜底面を形成してもよい。
【００９５】
また、上記第１および第３実施形態では、周状溝部６３（規制部）を、上面視において、矩形状の捕集部材３１（連通孔部６０ａ）に対応するように、矩形の枠状に形成した例を示した。また、上記第２実施形態では、周状壁部１６３（規制部）を、上面視において、矩形状の捕集部材３１（連通孔部６０ａ）に対応するように、矩形の枠状に形成した例を示したが、本発明はこれに限られない。本発明では、規制部を、上面視において、矩形状の捕集部材に対応するように、矩形の枠状に形成しなくてもよい。たとえば、規制部を、上面視において、矩形状の捕集部材を取り囲むように円環状または多角形の枠状に形成してもよい。また、たとえば、上面視において、捕集部材の形状が円形状である場合には、規制部を捕集部材に対応するように、円環状に形成するのが好ましい。
【００９６】
また、上記第１〜第３実施形態では、導入通路６１（１６１、２６１）を、シリンダヘッドカバー２０と、上側カバー部材４０とにより構成した例を示したが、本発明はこれに限られない。本発明では、導入通路を、上側カバー部材を用いずに、シリンダヘッドカバーのみにより構成してもよい。同様に、排出通路を、下側カバー部材を用いずに、シリンダヘッドカバーのみにより構成してもよい。
【００９７】
また、上記第１〜第３実施形態では、天井面６１ｄのＸ１方向側が、Ｘ２方向側（上流側）からＸ１方向側（下流側）に向かって下方に傾斜する例を示したが、本発明はこれに限られない。本発明では、天井面を傾斜させなくてもよい。また、天井面の全体を下方に傾斜させてもよい。この際、捕集部材に液体成分が滴下しないように、捕集部材の直上において天井面を傾斜させるのが好ましい。また、天井面を、下流側から上流側に向かって下方に傾斜させてもよい。一方で、天井面を傾斜させなくてもよい。
【００９８】
また、上記第１実施形態では、接続溝部６４および傾斜面溝部６５を、ブローバイガスの流通方向の下流側から上流側に向かって徐々に幅が大きくなるように形成した例を示した。また、上記第３実施形態では、接続溝部２６４を、ブローバイガスの流通方向の下流側から上流側に向かって段階的に幅が大きくなるように形成した例を示したが、本発明はこれに限られない。本発明では、接続溝部（傾斜面溝部）を略一定の幅を有するように形成してもよい。
【符号の説明】
【００９９】
２０、１２０、２２０  シリンダヘッドカバー
２２、１２２、２２２  底面部
２３ｂ  傾斜底面（第１接続傾斜底面）
３０、１３０、２３０  オイルセパレータ
３１  捕集部材
６０  オイルセパレータ室
６１、１６１、２６１  導入通路
６１ｃ  吸込口
６２  排出通路
６２ａ  ブローバイガス排出口（排出口）
６３  周状溝部（規制部）
６４、２６４  接続溝部
１００  エンジン（内燃機関）
１２３  傾斜底面（第２接続傾斜底面）
１６３  周状壁部（規制部）
２２３ｂ  傾斜底面
２２３ｃ  第１傾斜底面
２２３ｄ  第２傾斜底面
２２３ｅ  境界部
【図１】
2018080624.tif 000003
【図２】
2018080624.tif 000004
【図３】
2018080624.tif 000005
【図４】
2018080624.tif 000006
【図５】
2018080624.tif 000007
【図６】
2018080624.tif 000008
【図７】
2018080624.tif 000009
【図８】
2018080624.tif 000010
【図９】
2018080624.tif 000011
【図１０】
2018080624.tif 000012
【図１１】
2018080624.tif 000013